(57)【特許請求の範囲】
【請求項１】
放送される番組の内容を表すコンテンツデータを、着脱可能な記録媒体に記録する放送記録装置において、
コンテンツデータを記憶することができる複数の記憶領域を有する記憶部と、
一の記録媒体に固有の媒体情報を前記複数の記憶領域の内の一の記憶領域に関連付けて記憶する手段と、
前記一の記録媒体に、関連付けて記録すべき番組を指定する番組指定情報を記憶する手段と、
前記番組指定情報で関連付けられた記録媒体が装着されているか否かを判定する手段と、
前記番組指定情報が指定する番組のコンテンツデータを記憶するための空き領域を前記一の記憶領域が有しているか否かを判定する手段と、
前記番組指定情報で関連付けられた記録媒体が装着されておらず、前記番組指定情報が指定する番組のコンテンツデータを記憶するための空き領域を前記一の記憶領域が有していない場合、警告を発する警告手段と
を備えることを特徴とする放送記録装置。
【請求項２】
前記番組指定情報が指定する番組の放送時刻の所定時間前であるか否かを判定する手段を備え、
前記警告手段は、
前記放送時刻の所定時間前である場合、前記警告を発するようにしてある
ことを特徴とする請求項１に記載の放送記録装置。
【請求項３】
前記警告手段は、
記録媒体の着脱が行われた場合、前記警告を発するようにしてある
ことを特徴とする請求項１又は請求項２に記載の放送記録装置。
【請求項４】
記録媒体に記録されたコンテンツデータを再生する手段を備え、
前記警告手段は、
コンテンツデータの再生を終了した場合、前記警告を発するようにしてある
ことを特徴とする請求項１から請求項３までのいずれか一つに記載の放送記録装置。
【請求項５】
前記番組指定情報が指定する番組のコンテンツデータを記憶するための空き領域を他の記憶領域が有しているか否かを判定する手段を備え、
前記番組指定情報で関連付けられた記録媒体が装着されておらず、前記番組指定情報が指定する番組のコンテンツデータを記憶するための空き領域を前記一の記憶領域が有さず、該コンテンツデータを記憶するための空き領域を他の記憶領域が有している場合、該コンテンツデータを前記他の記憶領域に記憶させるようにしてある
ことを特徴とする請求項１から請求項４までのいずれか一つに記載の放送記録装置。
【請求項６】
前記番組指定情報で関連付けられた記録媒体が装着されている場合、前記番組指定情報が指定する番組のコンテンツデータを前記記録媒体に記録する手段と、
前記番組指定情報で関連付けられた記録媒体が装着されていない場合、前記番組指定情報が指定する番組のコンテンツデータを、前記記録媒体の媒体情報を関連付けてある記憶領域に記憶させる手段と
を備えることを特徴とする請求項１から請求項５までのいずれか一つに記載の放送記録装置。
【請求項７】
前記警告を発した後、前記一の記録媒体が装着され、該記録媒体に未記録のコンテンツデータを、前記一の記憶領域から前記記録媒体にコピーする場合、前記番組指定情報が指定する番組のコンテンツデータを記憶するための空容量を前記一の記憶領域が有していないとき、前記未記録のコンテンツデータを前記記録媒体にコピーした後、前記一の記憶領域が記憶するコンテンツデータを削除すべき旨の警告を発する手段を備える
ことを特徴とする請求項１から請求項６までのいずれか一つに記載の放送記録装置。
【発明の詳細な説明】
【技術分野】
【０００１】
本発明は、放送された番組の内容を表すコンテンツデータを光ディスク等の記録媒体に記録する放送記録装置に関する。
【背景技術】
【０００２】
現在、テレビジョン放送により放送された番組を録画する録画装置（放送記録装置）が普及している。録画装置には、ハードディスク等の内蔵記憶装置を備え、番組の映像又は音声等の内容を表すコンテンツデータを前記内蔵記憶装置に記憶するものと、着脱可能な光ディスク等の可搬型の記録媒体にコンテンツデータを記録するものとがある。
【０００３】
内蔵記憶装置を備えた録画装置においては、録画を行った録画装置でしか番組を再生することができないという難点がある。また、コンテンツデータを消去せずに保存し続けた場合、内蔵記憶装置の容量が不足し、コンテンツデータを保存できなくなるという難点がある。これらの難点は、内蔵記憶装置から可搬型の記録媒体へコンテンツデータをダビングすることによって、解消することができる。
しかし、録画装置の操作に不慣れな使用者にとっては、ダビングの操作は難しく、手間を要するという問題がある。
【０００４】
一方、可搬型の記録媒体にコンテンツデータを直接記録することができる録画装置を用いる場合、上述のダビングを行う必要がない。家庭内で複数の使用者が同一の録画装置を利用する場合、各使用者が自己の記録媒体を保持し、各使用者が所望の番組を自己の記録媒体に録画することができる。また使用者が複数の録画装置を所有している場合、複数の録画装置を用いて一の記録媒体に録画を行うこともできる。
しかし、録画予約が行われた場合、録画装置がその録画予約の情報を記憶するため、録画に使用する予定であった記録媒体とは異なる他の記録媒体が誤って装着されたとしても、そのまま該記録媒体にコンテンツデータが記録されてしまうという難点がある。例えば、Ａさんが所有する記録媒体に番組ａを録画したい場合、番組ａの録画予約を行い、Ａさんが所有する記録媒体を録画装置に装着する必要があるが、誤ってＢさんの記録媒体が録画装置に装着された場合、番組ａがＢさんの記録媒体に記録されてしまう。
また、録画開始時刻に記録媒体が装着されていない場合、録画が不能になるという難点がある。もちろん、録画予約を行った場合、記録媒体の排出を行えないよう録画再生機能を制限することも可能であるが、他の使用者は録画装置を使えなくなり、利便性が損なわれる。
更に、予約録画の待機状態においても、録画装置の通常の操作を可能にし、録画予約設定時と異なる記録媒体が装着された時に使用者に警告を発するように構成した録画装置が開示されているが（例えば、特許文献１，２）、他の使用者が記録媒体を交換する都度、警告が発せされるため、非常に煩わしいという問題がある。
【先行技術文献】
【特許文献】
【０００５】
【特許文献１】特開２０００−１４９３９３号公報
【特許文献２】特開平１１−２１３６２７号公報
【発明の概要】
【発明が解決しようとする課題】
【０００６】
本発明は、斯かる事情に鑑みてなされたものであり、その目的は、記録媒体に対する番組の録画を補助する記憶部を録画装置に備え、録画予約設定時に指定された記録媒体と異なる記録媒体が装着され、かつ記憶部による録画の補助が不能である場合、録画に係る警告を発するように構成することによって、使用者が所望する記録媒体に所望の番組のコンテンツデータを確実に録画することができ、しかも、対応する記録媒体が装着されていない旨の警告の発生を抑えることができる放送記録装置を提供することにある。
【課題を解決するための手段】
【０００７】
本発明に係る放送記録装置は、放送される番組の内容を表すコンテンツデータを、着脱可能な記録媒体に記録する放送記録装置において、コンテンツデータを記憶することができる複数の記憶領域を有する記憶部と、一の記録媒体に固有の媒体情報を前記複数の記憶領域の内の一の記憶領域に関連付けて記憶する手段と、前記一の記録媒体に、関連付けて記録すべき番組を指定する番組指定情報を記憶する手段と、前記番組指定情報で関連付けられた記録媒体が装着されているか否かを判定する手段と、前記番組指定情報が指定する番組のコンテンツデータを記憶するための空き領域を前記一の記憶領域が有しているか否かを判定する手段と、前記番組指定情報で関連付けられた記録媒体が装着されておらず、前記番組指定情報が指定する番組のコンテンツデータを記憶するための空き領域を前記一の記憶領域が有していない場合、警告を発する警告手段とを備えることを特徴とする。
【０００８】
本発明に係る放送記録装置は、前記番組指定情報が指定する番組の放送時刻の所定時間前であるか否かを判定する手段を備え、前記警告手段は、前記放送時刻の所定時間前である場合、前記警告を発するようにしてあることを特徴とする。
【０００９】
本発明に係る放送記録装置は、前記警告手段は、記録媒体の着脱が行われた場合、前記警告を発するようにしてあることを特徴とする。
【００１０】
本発明に係る放送記録装置は、記録媒体に記録されたコンテンツデータを再生する手段を備え、前記警告手段は、コンテンツデータの再生を終了した場合、前記警告を発するようにしてあることを特徴とする。
【００１１】
本発明に係る放送記録装置は、前記番組指定情報が指定する番組のコンテンツデータを記憶するための空き領域を他の記憶領域が有しているか否かを判定する手段を備え、前記番組指定情報で関連付けられた記録媒体が装着されておらず、前記番組指定情報が指定する番組のコンテンツデータを記憶するための空き領域を前記一の記憶領域が有さず、該コンテンツデータを記憶するための空き領域を他の記憶領域が有している場合、該コンテンツデータを前記他の記憶領域に記憶させるようにしてあることを特徴とする。
【００１２】
本発明に係る放送記録装置は、前記番組指定情報で関連付けられた記録媒体が装着されている場合、前記番組指定情報が指定する番組のコンテンツデータを前記記録媒体に記録する手段と、前記番組指定情報で関連付けられた記録媒体が装着されていない場合、前記番組指定情報が指定する番組のコンテンツデータを、前記記録媒体の媒体情報を関連付けてある記憶領域に記憶させる手段とを備えることを特徴とする。
【００１３】
本発明に係る放送記録装置は、前記警告を発した後、前記一の記録媒体が装着され、該記録媒体に未記録のコンテンツデータを、前記一の記憶領域から前記記録媒体にコピーする場合、前記番組指定情報が指定する番組のコンテンツデータを記憶するための空容量を前記一の記憶領域が有していないとき、前記未記録のコンテンツデータを前記記録媒体にコピーした後、前記一の記憶領域が記憶するコンテンツデータを削除すべき旨の警告を発する手段を備えることを特徴とする。
【００１４】
本発明にあっては、着脱可能な記録媒体に対するコンテンツデータの記録を記憶部が補助する。記憶部は、コンテンツデータを記憶することができる複数の記憶領域を有する。そして、放送記録装置は、一の記録媒体に固有の媒体情報と、一の記憶領域とを関連付けて記憶する。なお、言うまでも無く、関連付けられる媒体情報及び記憶領域は一組に限定されず、放送記録装置は、他の記録媒体に固有の媒体情報を、他の記憶領域に関連付けて記憶する。
そして、放送記録装置は、一の記録媒体に、関連付けて記録すべき番組を指定する番組指定情報を記憶することができる。つまり、一の記録媒体に対する録画予約が可能である。
番組指定情報を記憶した場合、放送記録装置は、番組指定情報で関連付けられた記録媒体が装着されているか否かを判定する。また、番組指定情報が指定する番組のコンテンツデータを記憶するための空き容量を、一の記録媒体に関連付けられた一の記憶領域が有しているか否かを判定する。そして、警告手段は、番組指定情報で関連付けられた記録媒体が装着されておらず、対応する記憶領域に空き容量が無い場合、警告を発する。つまり、放送記録装置は、コンテンツデータが記録されるべき記録媒体が装着されていない場合であっても、記憶部を用いてコンテンツデータを一時的に記憶することができる場合、警告を発しない。
【００１５】
本発明にあっては、警告手段は、番組の放送時刻の所定時間前になった場合、警告を発する。従って、コンテンツデータが記録されるべき記録媒体の装着を促すことができ、コンテンツデータの録画を確実に行うことが可能になる。また、警告が頻発することを防止することができる。
【００１６】
本発明にあっては、警告手段は、記録媒体の着脱が行われた場合、警告を発することによって、コンテンツデータが記録されるべき記録媒体の装着を促すことができ、コンテンツデータの録画を確実に行うことが可能になる。
【００１７】
本発明にあっては、警告手段は、コンテンツデータの再生を終了した場合、警告を発することによって、コンテンツデータが記録されるべき記録媒体の装着を促すことができ、コンテンツデータの録画を確実に行うことが可能になる。
【００１８】
本発明にあっては、放送記録装置は、番組指定情報が指定する番組のコンテンツデータを記憶するための空き領域を他の記憶領域が有しているか否かを判定する。そして、放送記録装置は、コンテンツデータを記憶するための空き領域を前記一の記憶領域が有さず、該コンテンツデータを記憶するための空き領域を他の記憶領域が有している場合、該コンテンツデータを前記他の記憶領域に記憶させる。従って、コンテンツデータをより確実に記憶することができ、利便性を向上させることができる。
【００１９】
本発明にあっては、警告を発した後、記録媒体が装着された場合、記憶部の空き容量に係る警告を発する。記憶部の空き容量が増加した場合、警告が発せられなくなるため、警告が頻発することをより効果的に防止することができる。
【発明の効果】
【００２０】
本発明にあっては、使用者が所望する記録媒体に所望の番組のコンテンツデータを確実に録画することができ、しかも、対応する記録媒体が装着されていない旨の警告の発生を抑えることができる。
【図面の簡単な説明】
【００２１】
【図１】本発明の放送記録装置である録画装置の外観を示す概念図である。
【図２】本発明の放送記録装置である録画装置の内部構成を示すブロック図である。
【図３】記憶部の内部構成を概念的に示す説明図である。
【図４】記憶部の記憶領域を分割する処理の手順を示すフローチャートである。
【図５】光ディスクドライブに光ディスクが装着されてから録画装置が行う処理の手順を示すフローチャートである。
【図６】録画装置が行う録画予約の処理の手順を示すフローチャートである。
【図７】保存用メモリに記憶した予約情報の内容例を示す概念図である。
【図８】録画装置が行う警告処理の手順を示すフローチャートである。
【図９】録画装置が行う警告処理の手順を示すフローチャートである。
【図１０】録画装置が行う録画処理の手順を示すフローチャートである。
【図１１】録画装置が行う録画処理の手順を示すフローチャートである。
【図１２】コンテンツデータを記録した光ディスク又はコンテンツデータを記憶した記憶部の状態を示す概念図である。
【図１３】コンテンツデータを記録した光ディスク又はコンテンツデータを記憶した記憶部の状態を示す概念図である。
【図１４】コンテンツデータを記録した光ディスク又はコンテンツデータを記憶した記憶部の状態を示す概念図である。
【図１５】コンテンツデータを記録した光ディスク又はコンテンツデータを記憶した記憶部の状態を示す概念図である。
【図１６】録画装置が行う同期処理の手順を示すフローチャートである。
【図１７】録画装置が行う同期処理の手順を示すフローチャートである。
【図１８】光ディスクの記録内容を記憶部の記憶内容に同期させた結果を示す概念図である。
【図１９】光ディスクの記録内容を記憶部の記憶内容に同期させ、記憶部からコンテンツデータを削除した結果を示す概念図である。
【図２０】録画装置が行う番組再生の処理の手順を示すフローチャートである。
【発明を実施するための形態】
【００２２】
以下本発明をその実施の形態を示す図面に基づき具体的に説明する。
図１は、本発明の放送記録装置である録画装置１の外観を示す概念図である。録画装置１には、テレビジョン受像機である映像表示装置４が接続されており、録画装置１は、映像表示装置４に対して映像信号及び音声信号を出力し、映像表示装置４は、映像信号に基づいた映像を表示し、音声信号に基づいた音声を出力する。また録画装置１は、使用者によって操作されるリモコン（リモートコントローラ）５からの信号を受信することにより、録画予約の指示等の各種の指示を受け付ける。
【００２３】
図２は、本発明の放送記録装置である録画装置１の内部構成を示すブロック図である。録画装置１は、図示しない外部のアンテナ等に接続されており、該アンテナによって受信した放送信号が入力される放送入力部３１と、図示しない外部チューナ等の外部装置から出力された映像信号及び音声信号が入力される信号入力部３２とを備えている。また、録画装置１は、リモコン５から送信された信号を受信するリモコン受信部３３と、映像表示装置４へ映像信号を出力する信号出力部３４と、放送された番組の内容を表すコンテンツデータを記録するハイブリッドドライブ部１０と、放送信号からコンテンツデータ及び映像信号を生成する処理を行うバックエンド部２０とを備えている。コンテンツデータは映像及び音声からなる番組の内容を表すデジタルデータであり、コンテンツデータをデコードすることにより、番組の映像及び音声を再生することができる。
【００２４】
バックエンド部２０は、デジタルチューナ２１、エンコーダ２２、ストリーム処理部２３、録画／再生制御部２４、制御用メモリ２５、インタフェース部２６、保存用メモリ２７,デコーダ２８、画像処理部２９を備える。
【００２５】
デジタルチューナ２１には放送入力部３１が接続されている。デジタルチューナ２１は、放送入力部３１から出力された放送信号を受信して選局を行い、放送信号から選局されたチャンネル即ち特定の周波数帯の放送信号をＭＰＥＧ（Moving Picture Experts Group）−２ＴＳ（Transport Stream）等のデジタルのストリームデータに変換し、変換したストリームデータをストリーム処理部２３に与える。
【００２６】
エンコーダ２２には、信号入力部３２が接続されている。エンコーダ２２は、信号入力部３２から出力された映像信号及び音声信号を受信し、受信した映像信号及び音声信号をＭＰＥＧ−２ＰＳ（Program Stream）又はＭＰＥＧ−２ＴＳ等のデジタルのストリームデータにエンコードし、エンコードされたストリームデータをストリームデータ処理部に与える。
【００２７】
ストリーム処理部２３には、デジタルチューナ２１及びエンコーダ２２が接続されている。ストリーム処理部２３は、デジタルチューナ２１及びエンコーダ２２から与えられたストリームデータを取得し、取得したストリームデータの形式を、例えばＤＶＤに適したＭＰＥＧ２−ＰＳ形式等に変換したり、デジタル放送用のスクランブルを解除する処理等のストリームデータに対するデータ処理を行う。
また、ストリーム処理部２３は、バックエンド部２０内のシステムバスに接続されている。システムバスには、演算を行う演算部を含んでなる録画／再生制御部２４、揮発性メモリである制御用メモリ２５、ＳＡＴＡ（Serial Advanced Technology Attachment ）等のインタフェース部２６、不揮発性メモリである保存用メモリ２７、ストリームデータをデコードするデコーダ２８が接続されている。
【００２８】
録画／再生制御部２４は、システムバスに接続された各構成部間でのデータの入出力を制御する処理を行う。また録画／再生制御部２４にはバックエンド部２０の外のリモコン受信部３３が接続されており、録画／再生制御部２４は、リモコン受信部３３からの信号を取得することにより、録画装置１の主電源の入切操作、録画予約操作、再生操作、その他、使用者からの各種の指示を受け付ける。なお、録画装置１は、更に、チューナ装置等の外部装置からストリームデータを受信するイーサネット（登録商標）等のデジタルインタフェースを備えていてもよい。このデジタルインタフェースは、ストリーム処理部２３に接続されている。
また、録画／再生制御部２４は、録画予約用の図示しない時計部が接続されており、番組の録画予約を行うための時刻管理を行うことができる。
【００２９】
制御用メモリ２５は、ストリーム処理部２３又は録画／再生制御部２４等が実行する演算に伴う一時的な情報、主にストリーム処理部２３で処理されたストリームデータ、又はハイブリッドドライブ部１０から取得したストリームデータを記憶する揮発性のメモリである。制御用メモリ２５は、一時的に記憶したストリームデータを、録画／再生制御部２４の指示に従ってデコーダ２８に与える。
【００３０】
デコーダ２８は、制御用メモリ２５から与えられたストリームデータを取得し、取得したストリームデータを映像信号及び音声信号へデコードする。デコーダ２８には、画像処理部２９が接続されており、デコードされた映像信号及び音声信号を該画像処理部２９へ出力する。
【００３１】
画像処理部２９は、画素の補間又は色調整等の画像処理を映像信号に対して実行する。画像処理部２９にはバックエンド部２０の外の信号出力部３４が接続されており、画像処理部２９は、映像信号及び音声信号を信号出力部３４から映像表示装置４へ出力する。
【００３２】
保存用メモリ２７は、録画／再生制御部２４の動作に必要な制御プログラム、及び録画予約に必要な情報等、保存する必要がある情報を記憶する。
【００３３】
インタフェース部２６には、バックエンド部２０の外のハイブリッドドライブ部１０が接続されている。バックエンド部２０は、インタフェース部２６を介してハイブリッドドライブ部１０との間でデータを交換する。
【００３４】
ハイブリッドドライブ部１０は、バックエンド部２０に接続するＳＡＴＡ等のインタフェース部１４と、光ディスクドライブ１１と、データを記憶する不揮発性の記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。
【００３５】
光ディスクドライブ１１は、ブルーレイディスク（登録商標）又はＤＶＤ（Digital Versatile Disk）等の光ディスク６が着脱自在に装着し、装着された光ディスク６からのデータの読み出し、及び光ディスク６へのデータの記録を行う。光ディスク６は、光ディスクドライブ１１に対して着脱可能であり、本発明における記録媒体に相当する。また、光ディスクドライブ１１は、光ディスク６が装着されているか否かを検出することができ、光ディスク６が装着された状態にあるか否かを示す信号を出力する。該信号は、ドライブ制御部１３の制御によって、インタフェース部１４，２６を介して、録画／再生制御部２４へ出力される。
【００３６】
記憶部１２は、フラッシュメモリ等の不揮発性メモリ又はハードディスクであり、ドライブ制御部１３の制御に従って、ストリームデータ及び各種データを読み書きを行う。
【００３７】
図３は、記憶部１２の内部構成を概念的に示す説明図である。記憶部１２は、記憶部１２の記憶内容を管理するための情報を記憶する管理領域、並びにコンテンツデータを記憶するための第１領域、第２領域、…、第ｎ領域及び予備領域の複数の記憶領域を含んで構成されている。ここで、ｎは正の整数である。ｎは予め適当な値に定められており、録画装置１の出荷時点では、記憶部１２の記憶領域が管理領域、第１〜第ｎ領域及び予備領域の複数の記憶領域に予め分割されている。
【００３８】
記憶部１２の記憶領域の内、第１〜第ｎ領域は、個別に特定の光ディスク６を対応付けておき、対応づけた光ディスク６に応じたデータを記憶するための記憶領域である。例えば、第１領域には特定の光ディスク６１が対応付けられ、第２領域には特定の光ディスク６２が対応付けられている。録画装置１の出荷時点では、いずれの領域にも光ディスク６は対応付けられていない。録画装置１を使用するには、使用者所有の光ディスク６を何れかの記憶領域に対応付けて登録する処理を行う必要がある。また予備領域は、その他のデータを記憶するための記憶領域である。
【００３９】
記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域は、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００４０】
第１領域管理部には、第１記憶領域の番号を示すエントリ番号、第１領域に実際に光ディスク６が対応付けられているか否かを示す割り当てフラグ、及び対応付けられた光ディスク６を識別するためのメディアＩＤが記憶される。また第１領域管理部には、記憶部１２の記憶領域中で第１領域に割り当てられたエリアのアドレスを示す割り当てエリア情報、光ディスク６のコピーガードに利用するための情報であるメディアキー情報、及び第１領域に係るデータの分布状態を示すマップ情報が記憶される。メディアＩＤ及びメディアキー情報は、光ディスク６に予め記録されている情報であり、個々の光ディスク６について固有の情報である。即ち、メディアＩＤ及びメディアキー情報は、本発明における媒体情報に相当する。録画装置１の出荷時点では、第１領域にはまだ光ディスク６１が対応付けられていないので、割り当てフラグは光ディスク６が対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。
なお、録画装置１は、記憶部１２の記憶領域が予め分割されているのではなく、使用者がｎの値を指定することによりｎを決定し、ｎの値に応じて記憶部１２の記憶領域を分割する処理を行う形態であってもよい。
次に、以上の構成でなる録画装置１が実行する処理を説明する。
【００４１】
＜記憶領域分割処理＞
図４は、記憶部１２の記憶領域を分割する処理の手順を示すフローチャートである。録画／再生制御部２４は、録画装置１に登録できる光ディスク６の枚数の指定を受け付けるための受付画面を映像表示装置４に表示させ、使用者が所定の操作を行ったリモコン５からの信号をリモコン受信部３３が受信することによって、登録できる光ディスク６の枚数の指定を受け付ける（ステップＳ１１）。そして、録画／再生制御部２４は、記憶部１２の管理領域管理部に、指定された枚数の値を、エントリ数ｎとして記憶させることにより、エントリ数を設定する（ステップＳ１２）。次いで、録画／再生制御部２４は、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（ステップＳ１３）。録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（ステップＳ１４）。録画装置１は、以上で記憶部１２の記憶領域を分割する処理を終了する。
【００４２】
＜登録処理＞
図５は、光ディスクドライブ１１に光ディスク６が装着されてから録画装置１が行う処理の手順を示すフローチャートである。使用者の操作により光ディスクドライブ１１に光ディスク６が装着された場合は、ドライブ制御部１３は、光ディスク６中の所定の位置に記録された情報を光ディスクドライブ１１に読み出させることにより、光ディスク６のメディアＩＤを読み出し、読み出したメディアＩＤをインタフェース部１４からバックエンド部２０へ出力する。録画／再生制御部２４は、インタフェース部２６を介してメディアＩＤを取得し、取得したメディアＩＤが記憶部１２の第１〜第ｎ領域管理部のいずれかに記憶されているかを判定することにより、装着された光ディスク６が既に登録済みの光ディスク６であるか否かを判定する（ステップＳ３１）。メディアＩＤが記憶部１２に記憶されておらず、光ディスク６が未登録であると判定した場合（ステップＳ３１：ＮＯ）、録画／再生制御部２４は、光ディスクドライブ１１で光ディスク６から読み出したデータに基づき、光ディスク６がフォーマット済みの光ディスク６であるか否かを判定する（ステップＳ３２）。ステップＳ３２では、例えば、ｖｏｌｕｍｅ  ｄｅｓｃｒｉｐｔｏｒに基づいて判定を行う。光ディスク６がフォーマット済みの光ディスク６であると判定した場合（ステップＳ３２：ＹＥＳ）、録画／再生制御部２４は、光ディスクドライブ１１で光ディスク６から読み出したデータに基づき、光ディスク６が再生専用の光ディスク６であるか否かを判定する（ステップＳ３３）。
【００４３】
光ディスク６が再生専用ではないと判定した場合（ステップＳ３３：ＮＯ）、録画／再生制御部２４は、光ディスク６のフォーマット指示を受け付けたか否かを判定する（ステップＳ３４）。例えば、録画／再生制御部２４は、光ディスク６のフォーマット指示を受け付けるための受付画面用の映像信号をデコーダ２８及び画像処理部２９を介して信号出力部３４から映像表示装置４へ送信することにより、映像表示装置４に、フォーマット指示を受け付けるための受付画面を表示させる。受付画面を確認した使用者は、フォーマットを行う際には、リモコン５を操作することによって、フォーマットの指示を入力する。使用者からの所定の操作を受け付けたリモコン５が送信した所定の信号をリモコン受信部３３が受信することによって、光ディスク６のフォーマット指示を受け付けたと判定した場合（ステップＳ３４：ＹＥＳ）、又はステップＳ３２で光ディスク６がフォーマット済みではなかったと判定した場合（ステップＳ３２：ＮＯ）、録画／再生制御部２４は、ドライブ制御部１３及び光ディスクドライブ１１に、光ディスク６をフォーマットさせる（ステップＳ３５）。光ディスク６のフォーマット指示の受け付けがないと判定した場合（ステップＳ３４：ＮＯ）、録画／再生制御部２４は、光ディスク６の登録指示を受け付けたか否かを判定する（ステップＳ３６）。例えば、録画／再生制御部２４は、登録指示を受け付けるための受付画面を映像表示装置４に表示させ、光ディスク６の登録を行うか否かの指示をリモコン受信部３３で受け付ける。なお、フォーマット指示を受け付けるための受付画面と、登録指示を受け付けるための受付画面とを一つに合わせた受付画面を映像表示装置４に表示させる処理を行ってもよい。
【００４４】
ステップＳ３５の処理を終えた場合、又はステップＳ３６で光ディスク６の登録指示を受け付けたと判定した場合（ステップＳ３６：ＹＥＳ）、録画／再生制御部２４は、記憶部１２の管理領域に記憶された情報に基づき、記憶部１２の第１〜第ｎ領域の内で光ディスク６が対応付けられていない記憶領域があるか否かを判定する（ステップＳ３７）。光ディスク６が対応付けられていない記憶領域がないと判定した場合（ステップＳ３７：ＮＯ）、録画／再生制御部２４は、各記憶領域に対応付けて登録してある光ディスク６の内で何れかの光ディスク６の登録を解消することの指示を受け付けたか否かを判定する（ステップＳ３８）。例えば、録画／再生制御部２４は、光ディスク６の新規登録ができないことを報知した上で既に登録されている光ディスク６の登録解消の指示を受け付けるための受付画面を映像表示装置４に表示させ、登録解消をするか否かの指示をリモコン受信部３３で受け付ける。なお、どの光ディスク６の登録を解消するかの指示をも受け付ける処理を行ってもよい。登録解消の指示を受け付けたと判定した場合（ステップＳ３８：ＹＥＳ）、録画／再生制御部２４は、ドライブ制御部１３に、記憶部１２の管理領域に記憶されている一の光ディスク６に固有の媒体情報を消去させることにより、一の光ディスク６の登録を解消する処理を行う（ステップＳ３９）。例えば、記憶部１２の第１領域に対応付けられている光ディスク６１の登録を解消する場合、録画／再生制御部２４は、記憶部１２の第１領域管理部に記憶されているメディアＩＤ及びメディアキー情報を消去する処理を行う。またこのとき、第１領域管理部に記憶されている割り当てフラグは、光ディスク６が対応付けられていないことを示すフラグに書き換えられる。
【００４５】
ステップＳ３７で光ディスク６が対応付けられていない記憶領域があると判定した場合（ステップＳ３７：ＹＥＳ）、又はステップＳ３９が終了した場合、録画／再生制御部２４は、光ディスクドライブ１１に装着された光ディスク６に固有の媒体情報を、光ディスク６が対応付けられていない記憶領域に関連付けて記憶部１２の管理領域に記憶することにより、光ディスク６を記憶領域に対応付けて登録する処理を行う（ステップＳ４０）。例えば、記憶部１２の第１領域に光ディスク６１を対応付ける場合、録画／再生制御部２４は、光ディスクドライブ１１に装着されている光ディスク６１から読み出したメディアＩＤ及びメディアキー情報を記憶部１２の第１領域管理部に記憶させる処理を行う。また第１領域管理部に記憶されている割り当てフラグを、光ディスク６が対応付けられていることを示すフラグに書き換える。ステップＳ３１でメディアＩＤが記憶部１２に記憶されており、光ディスク６が登録済みであると判定した場合（ステップＳ３１：ＹＥＳ）、又はステップＳ４０の処理を終えた場合、録画／再生制御部２４は、録画又は再生等の処理を実行するために、光ディスクドライブ１１に装着されている光ディスク６へのアクセスを開始する（ステップＳ４１）。
【００４６】
ステップＳ３３で光ディスク６が再生専用であると判定した場合（ステップＳ３３：ＹＥＳ）、ステップＳ１６で光ディスク６の登録指示の受付がなかったと判定した場合（ステップＳ３６：ＮＯ）、又はステップＳ３８で登録解消の指示の受付がなかったと判定した場合（ステップＳ３８：ＮＯ）、録画／再生制御部２４は、光ディスクドライブ１１に装着されている光ディスク６に対して、未登録の光ディスク６としてアクセスを開始する（ステップＳ４２）。録画装置１は、以上で、光ディスク６が装着された際の処理を終了する。
【００４７】
＜録画予約処理＞
録画装置１は、登録された光ディスク６が光ディスクドライブ１１に装着されている状態で、録画予約の処理を行う。
図６は、録画装置１が行う録画予約の処理の手順を示すフローチャートである。録画／再生制御部２４は、録画すべき番組の指定を受け付けるための受付画面を映像表示装置４に表示させ、使用者が所定の操作を行ったリモコン５からの信号をリモコン受信部３３で受信することによって、録画すべき番組の指定を受け付ける（ステップＳ５１）。例えば、映像表示装置４は、電子番組表を表示し、使用者は電子番組表を確認しながらリモコン５を操作することによって、番組が電子番組上で指定される。次いで、録画／再生制御部２４は、受け付けた番組の指定に従って、録画を予約した番組を指定する予約情報を生成し、光ディスクドライブ１１に装着されている光ディスク６のメディアＩＤと関連付けて、予約情報を保存用メモリ２７に記憶させる（ステップＳ５２）。録画／再生制御部２４は、次いで、ドライブ制御部１３及び光ディスクドライブ１１に、光ディスクドライブ１１に装着されている光ディスク６に予約情報を記録させる（ステップＳ５３）。録画装置１は、以上で録画予約の処理を終了する。
【００４８】
図７は、保存用メモリ２７に記憶した予約情報の内容例を示す概念図である。メディアＩＤと予約情報とが互いに関連付けられて記憶されている。予約情報は、チャンネル、番組の放送日時を示す情報を含んでおり、これらの情報により録画すべき番組が指定される。即ち、予約情報は、コンテンツデータを記録すべき番組を指定する情報であり、本発明における番組指定情報に相当する。なお、予約情報は、メディアＩＤの代わりに、光ディスク６が対応する記憶部１２の記憶領域のエントリ番号に関連付けて記憶されてもよい。このようにして、保存用メモリ２７は、登録されている光ディスク６に関連付けて予約情報を記憶する。
【００４９】
＜警告処理＞
図８及び図９は、録画装置１が行う警告処理の手順を示すフローチャートである。以下の処理を定期的に実行される。録画／再生制御部２４は、保存用メモリ２７が予約情報を記憶しているか否かを判定する（ステップＳ７１）。保存用メモリ２７が予約情報を記憶していると判定した場合（ステップＳ７１：ＹＥＳ）、録画／再生制御部２４は、予約情報に関連付けられたメディアＩＤに対応する記憶領域（以下、対応領域という）に、番組のコンテンツデータを録画するための十分な空き容量があるか否かを判定する（ステップＳ７２）。具体的には、録画／再生制御部２４は、保存用メモリ２７が記憶する予約情報に基づいて、コンテンツデータの録画に必要な記憶容量を推定する。そして、録画／再生制御部２４は、記憶部１２の管理領域に記憶された情報に基づいて、対応領域の空き容量を特定し、特定された空き容量と、推定された前記記憶容量とを比較することによって、対応領域に十分な空き容量があるか否かを判定する。
【００５０】
対応領域に十分な空き容量が無いと判定した場合（ステップＳ７２：ＮＯ）、録画／再生制御部２４は、光ディスクドライブ１１に光ディスク６が装着されているか否かを判定する（ステップＳ７３）。光ディスク６が装着されていないと判定した場合（ステップＳ７３：ＮＯ）、録画／再生制御部２４は、保存用メモリ２７が記憶する予約情報と、時計部が計時している時刻とに基づいて、予約録画開始時刻の所定時間前、例えば１０分前であるか否かを判定する（ステップＳ７４）。予約録画開始時刻の所定時間前であると判定した場合（ステップＳ７４：ＹＥＳ）、録画／再生制御部２４は、予約情報に関連付けられたメディアＩＤに対応する光ディスク６を装着すべき旨の警告を行うための映像信号を、デコーダ２８及び画像処理部２９を介して信号出力部３４から映像表示装置４へ送信することによって、映像表示装置４に前記警告を行うための映像を表示させ（ステップＳ８１）、処理を終える。以下、前記警告を行うための映像を、装着警告映像と呼ぶ。
【００５１】
予約録画開始時刻の所定時間前で無いと判定した場合（ステップＳ７４：ＮＯ）、録画／再生制御部２４は、リモコン受信部３３で受信した信号に基づいて、主電源のオフ操作があったか否かを判定する（ステップＳ７５）。電源オフ操作があったと判定した場合（ステップＳ７５：ＹＥＳ）、録画／再生制御部２４は、予約情報に関連付けられたメディアＩＤに対応する光ディスク６を装着すべき旨の警告を行うための装着警告映像を、映像表示装置４に表示させる（ステップＳ８１）。
ステップＳ７１で保存用メモリ２７が予約情報を記憶していないと判定した場合（ステップＳ７１：ＮＯ）、ステップＳ７２で対応領域に十分な空き容量があると判定した場合（ステップＳ７２：ＹＥＳ）、又はステップＳ７５で電源オフ操作が無かったと判定した場合（ステップＳ７５：ＮＯ）、録画／再生制御部２４は、処理を終える。
【００５２】
ステップＳ７３で光ディスク６が装着されていると判定した場合（ステップＳ７３：ＹＥＳ）、録画／再生制御部２４は、リモコン受信部３３で受信した信号に基づいていて、光ディスク６のイジェクト操作があったか否かを判定する（ステップＳ７６）。イジェクト操作があったと判定した場合（ステップＳ７６：ＹＥＳ）、録画／再生制御部２４は、装着警告映像を映像表示装置４に表示させる（ステップＳ８１）
【００５３】
イジェクト操作が無いと判定した場合（ステップＳ７６：ＮＯ）、録画／再生制御部２４は、装着されている光ディスク６が予約情報に関連付けられた光ディスク６であるか否かを判定する（ステップＳ７７）。具体的には、録画／再生制御部２４は、ドライブ制御部１３及び光ディスクドライブ１１に、装着された光ディスク６からメディアＩＤを読み取らせ、読み出されたメディアＩＤと、予約情報に関連付けられているメディアＩＤとを比較する。そして、録画／再生制御部２４は、メディアＩＤが一致している場合、予約情報が関連付けられた光ディスク６であると判定する。
【００５４】
予約情報が関連付けられた光ディスク６であると判定した場合（ステップＳ７７：ＹＥＳ）、録画／再生制御部２４は、処理を終える。予約情報が関連付けられた光ディスク６でないと判定した場合（ステップＳ７７：ＮＯ）、録画／再生制御部２４は、録画装置１の動画状態が停止状態へ遷移したか否かを判定する（ステップＳ７８）。具体的には、録画／再生制御部２４は、リモコン受信部３３が受信した信号に基づいて、録画装置１の停止が指示されたか否かを判定する。停止状態へ遷移したと判定した場合（ステップＳ７８：ＹＥＳ）、制御部は、装着警告映像を映像表示装置４に表示させる（ステップＳ８１）。
【００５５】
録画装置１の停止が指示されていないと判定した場合（ステップＳ７８：ＮＯ）、録画／再生制御部２４は、保存用メモリ２７が記憶する予約情報と、時計部が計時している時刻とに基づいて、予約録画開始時刻の所定時間前であるか否かを判定する（ステップＳ７９）。予約録画開始時刻の所定時間前であると判定した場合（ステップＳ７９：ＹＥＳ）、録画／再生制御部２４は、装着警告映像を映像表示装置４に表示させ（ステップＳ８１）、処理を終える。
【００５６】
予約録画開始時刻の所定時間前で無いと判定した場合（ステップＳ７９：ＮＯ）、録画／再生制御部２４は、リモコン受信部３３で受信した信号に基づいて、主電源のオフ操作があったか否かを判定する（ステップＳ８０）。電源オフ操作がなかったと判定した場合（ステップＳ８０：ＮＯ）、録画／再生制御部は、処理を終える。電源オフ操作があったと判定した場合（ステップＳ８０：ＹＥＳ）、録画／再生制御部２４は、予約情報に関連付けられたメディアＩＤに対応する光ディスク６を装着すべき旨の警告を行うための装着警告映像を、映像表示装置４に表示させる（ステップＳ８１）。
【００５７】
図１０及び図１１は、録画装置１が行う録画処理の手順を示すフローチャートである。録画／再生制御部２４は、時計部を用いて日時を計測し、保存用メモリ２７に記憶してある予約情報に含まれる情報が示す番組の放送日時になったか否かを随時判定する（ステップＳ９１）。まだ番組の放送日時ではないと判定した場合（ステップＳ９１：ＮＯ）、録画／再生制御部２４は、日時の計測を続行する。予約情報に含まれる情報が示す番組の放送日時になった場合（ステップＳ９１：ＹＥＳ）、録画／再生制御部２４は、光ディスクドライブ１１に光ディスク６が装着されているか否かを判定する（ステップＳ９２）。光ディスクドライブ１１に光ディスク６が装着されていると判定した場合（ステップＳ９２：ＹＥＳ）、録画／再生制御部２４は、光ディスクドライブ１１に装着されている光ディスク６が放送日時を示す情報を含む予約情報に関連付けられた光ディスク６であるか否かを判定する（ステップＳ９３）。ステップＳ９３では、録画／再生制御部２４は、光ディスク６からメディアＩＤを読み出し、予約情報に関連付けて保存用メモリ２７で記憶してあるメディアＩＤと読み光ディスクドライブ１１に出したメディアＩＤとが一致するか否かに応じて、判定を行う。
【００５８】
ステップＳ９３で、メディアＩＤが一致してあり、光ディスク６が予約情報に関連付けられた光ディスク６であると判定した場合（ステップＳ９３：ＹＥＳ）、録画／再生制御部２４は、図１２に示すように、放送が開始された番組の内容を表すコンテンツデータを光ディスクドライブ１１で光ディスク６に記録させる処理を行う（ステップＳ９４）。図１２に詳細は後述する。ステップＳ９４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることで番組を再生することが可能であり、番組の内容を表すコンテンツデータである。更にステップＳ９４では、録画／再生制御部２４は、ドライブ制御部１３に、コンテンツデータを光ディスクドライブ１１で光ディスク６に記録させる処理を行う。例えば、放送日時になった番組を指定する予約情報が光ディスク６１に関連付けられてあり、光ディスク６１が光ディスクドライブ１１に装着されてある場合、光ディスク６１にコンテンツデータが記録される。なお、録画／再生制御部２４は、光ディスク６にコンテンツデータを記録させると共に、記憶部１２の記憶領域の内で、予約情報に関連付けられた光ディスク６に対応する記憶領域にコンテンツデータを記憶させる処理を行ってもよい。
【００５９】
番組の放送が終了し、コンテンツデータの記録が終了した場合、録画／再生制御部２４は、光ディスク６に記録したコンテンツデータが表す番組のタイトルを示すタイトル情報を光ディスク６に記録させる（ステップＳ９５）。番組のタイトルには、電子番組表で表示されるタイトル等、デジタルチューナ２１が受信する放送信号に含まれる情報に基づいて決定したタイトルを用いてもよく、また使用者がリモコン５を操作することにより設定されたタイトルを用いてもよい。
【００６０】
ステップＳ９２で光ディスクドライブ１１に光ディスク６が装着されていないと判定した場合（ステップＳ９２：ＮＯ）、又はステップＳ９３でメディアＩＤが一致しておらず、光ディスク６が予約情報に関連付けられた光ディスク６ではないと判定した場合（ステップＳ９３：ＮＯ）、録画／再生制御部２４は、対応領域に番組のコンテンツデータを記憶させるための空き容量があるか否かを判定する（ステップＳ９６）。つまり予約情報に関連付けられたメディアＩＤに対応する記憶領域に、録画予約された番組のコンテンツデータを記憶するための十分な空き容量があるか否かを判定する。
【００６１】
対応領域に空き容量があると判定した場合（ステップＳ９６：ＹＥＳ）、録画／再生制御部２４は、図１３に示すように、放送が開始された番組の内容を表すコンテンツデータを、記憶部１２の記憶領域の内で、予約情報に関連付けられたメディアＩＤに対応する対応領域に記憶させる（ステップＳ９７）。例えば、放送日時になった番組を指定する予約情報が光ディスク６１に関連付けられてあり、光ディスクドライブ１１に光ディスク６が装着されていないか、又は光ディスクドライブ１１に光ディスク６１以外の光ディスク６が装着されている場合、記憶部１２の第１領域にコンテンツデータが記憶される。図１３の詳細は後述する。
【００６２】
対応領域にコンテンツデータを記憶させるための空き容量が無いと判定した場合（ステップＳ９６：ＮＯ）、録画／再生制御部２４は、予備領域に番組のコンテンツデータを記憶させるために十分な空き容量があるか否かを判定する（ステップＳ９８）。予備領域に十分な空き容量があると判定した場合（ステップＳ９８：ＹＥＳ）、録画／再生制御部２４は、図１４に示すように、放送が開始された番組の内容を表すコンテンツデータを、記憶部１２の予備領域に記憶させる（ステップＳ９９）。図１４の詳細は後述する。
【００６３】
予備領域に空き容量が無いと判定した場合（ステップＳ９８：ＮＯ）、録画／再生制御部２４は、対応領域及び予備領域以外の他の記憶領域に、番組のコンテンツデータを記憶させるための十分な空き容量があるか否かを判定する（ステップＳ１００）。他の記憶領域に十分な空き容量が無いと判定した場合（ステップＳ１００：ＮＯ）、録画／再生制御部２４は、処理を終える。他の記憶領域に十分な空き容量があると判定した場合（ステップＳ１００：ＹＥＳ）、録画／再生制御部２４は、図１５に示すように、放送が開始された番組の内容を表すコンテンツデータを、前記他の記憶領域に記憶させる（ステップＳ１０１）。図１５の詳細は後述する。
【００６４】
ステップＳ９５、ステップＳ９７、ステップＳ９９、又はステップＳ１０１の処理を終えた場合、録画／再生制御部２４は、光ディスク６に記録させたタイトル情報と同等のタイトル情報を、保存用メモリ２７に記憶する（ステップＳ１０２）。なお、録画／再生制御部２４は、記憶部１２の記憶領域の内で、予約情報に関連付けられた光ディスク６に対応する記憶領域にタイトル情報を記憶させる処理を行ってもよい。
【００６５】
次いで、録画／再生制御部２４は、光ディスク６に記録したコンテンツデータ又は記憶部１２に記憶したコンテンツデータの分布状態を示すマップ情報を、ステップＳ１０２までの処理を反映するように更新する（ステップＳ１０３）。そして、録画／再生制御部２４は、録画が終了した番組の予約情報を光ディスク６及び保存用メモリ２７から消去する処理を行い（ステップＳ１０４）、録画処理を終了する。
【００６６】
図１２乃至図１５は、コンテンツデータを記録した光ディスク６又はコンテンツデータを記憶した記憶部１２の状態を示す概念図である。図１２（ａ）は、ステップＳ９４によって光ディスク６１に番組１のコンテンツデータが記録された状態を示し、更に、光ディスク６１の記録内容及び第１領域の記録内容並びに、第１領域に記憶すべきデータを仮記憶した予備領域及び第ｎ領域の少なくとも一方に含まれるコンテンツデータを記録する仮想的なディスク（仮想ディスク）の記録イメージを示す。光ディスク６１に番組１のコンテンツデータが記憶されており、それに伴って仮想ディスクにもコンテンツデータが記録されている。図１２（ｂ）は、記憶部１２の第１領域管理部に記憶されたマップ情報の内容例を示す。コンテンツデータのデータ名に関連付けて、仮想ディスクにおけるデータの分布が、先頭アドレス及びデータのサイズによって記録されている。更に、第１領域とディスク６１とでのコンテンツデータの同期状態を示す情報が記録されている。コンテンツデータは当初から光ディスク６１には記録されているため、同期状態の項目には情報が格納されていない状態にある。更にまた、第１領域に記憶させるべき情報を他の記憶領域又は予備領域に記憶させた場合、本来、記憶させるべきであった記憶領域を示す仮記憶情報がデータ名に関連付けて記憶されている。図１２においては、本来記憶すべき光ディスク６１に番組１のコンテンツデータが記録されているため、仮記憶情報の項目には情報が格納されていない状態にある。
なお、本実施例では、メモリのアドレス及びデータのサイズを十進法の数値で示している。図１２（ｃ）は、タイトル情報の内容例を示す。コンテンツデータが表す番組のタイトルに関連付けて、番組が継続する時間の長さ、画質、ダビング可能回数、及び同期状態を示す情報が記録されている。なお、コンテンツデータのデータ名とタイトル名とは、図１２に示したように同一でもよいが、互いに異なっていてもよい。
【００６７】
図１３は、ステップＳ９７によって記憶部１２の第１領域に番組１のコンテンツデータが記録された状態を示す。図１３（ａ）に示すように、第１領域に番組１のコンテンツデータが記憶されており、それに伴って仮想ディスクにもコンテンツデータが記録されている。図１３（ｂ）に示すように、マップ情報では、コンテンツデータのデータ名に関連付けて、仮想ディスク及び第１領域におけるデータの分布が、先頭アドレス及びデータのサイズによって記録されている。更に、第１領域とディスク６１とでのコンテンツデータの同期状態を示す情報が記録されている。コンテンツデータは光ディスク６１には記録されていないので、同期状態は未同期となっている。また、図１３においては、本来記憶すべき第１領域に番組１のコンテンツデータが記録されているため、仮記憶情報の項目には情報が格納されていない状態にある。更に、図１３（ｃ）に示すように、タイトル情報では、第１領域に記録されたコンテンツデータに関しては、ダビング可能回数として１０回が記録される。
【００６８】
図１４は、ステップＳ９９によって記憶部１２の予備領域に番組１のコンテンツデータが記録された状態を示す。図１４（ａ）に示すように、第１領域には、番組ｘのコンテンツデータが既に記録されており、第１番組のコンテンツデータを記憶するための空き容量が第１領域に残っていない。このため、予備領域に番組１のコンテンツデータが記憶されており、それに伴って仮想ディスクにもコンテンツデータが記録されている。図１４（ｂ）に示すように、マップ情報では、コンテンツデータのデータ名に関連付けて、仮想ディスク及び予備領域におけるデータの分布が、先頭アドレス及びデータのサイズによって記録されている。更に、予備領域とディスク６１とでのコンテンツデータの同期状態を示す情報が記録されている。コンテンツデータは光ディスク６１には記録されていないので、同期状態は未同期となっている。また、図１４においては、本来記憶すべき第１領域に番組１のコンテンツデータが記録されていないため、第１番組のコンテンツデータが本来、記憶されるべき、第１領域を示す情報が格納されている。更に、図１４（ｃ）に示すように、タイトル情報では、予備領域に記録されたコンテンツデータに関しては、ダビング可能回数として１０回が記録される。
【００６９】
図１５は、ステップＳ１０１によって記憶部１２の第ｎ領域に番組１のコンテンツデータが記録された状態を示す。図１５（ａ）に示すように、第１領域及び予備領域には、それぞれ番組ｘ及び番組ｙのコンテンツデータが既に記録されており、第１番組のコンテンツデータを記憶するための空き容量が第１領域及び予備領域のいずれにも残っていない。このため、第ｎ領域に番組１のコンテンツデータが記憶されており、それに伴って仮想ディスクにもコンテンツデータが記録されている。図１５（ｂ）に示すように、マップ情報では、コンテンツデータのデータ名に関連付けて、仮想ディスク及び第ｎ領域におけるデータの分布が、先頭アドレス及びデータのサイズによって記録されている。更に、第ｎ領域とディスク６１とでのコンテンツデータの同期状態を示す情報が記録されている。コンテンツデータは光ディスク６１には記録されていないので、同期状態は未同期となっている。また、図１５においては、本来記憶すべき第１領域に番組１のコンテンツデータが記録されていないため、第１番組のコンテンツデータが本来、記憶されるべき、第１領域を示す情報が格納されている。更に、図１５（ｃ）に示すように、タイトル情報では、第ｎ領域に記録されたコンテンツデータに関しては、ダビング可能回数として１０回が記録される。
【００７０】
＜同期・転送処理＞
録画装置１は、ステップＳ３１で登録済みの光ディスク６にアクセスを開始した後、光ディスク６の記録内容を記憶部１２の対応する記憶領域での記憶内容に同期させる処理を行う。
図１６及び図１７は、録画装置１が行う同期処理の手順を示すフローチャートである。ステップＳ３１で光ディスク６にアクセスを開始した後、録画／再生制御部２４は、光ディスク６の記録内容と、記憶部１２の記憶領域の内で光ディスク６に対応する記憶領域での記憶内容とを比較し、光ディスク６に未記録のコンテンツデータが該当する記憶領域に記憶されているか否かを判定する（ステップＳ１１１）。ステップＳ１１１では、例えば、光ディスク６１に未記録のコンテンツデータが記憶部１２の第１記憶領域に記憶されているか否か、又は予備領域又は他の記憶領域に記憶されているか否かを判定する。未記録のコンテンツデータが記憶されている場合（ステップＳ１１１：ＹＥＳ）、録画／再生制御部２４は、光ディスク６に記録された予約情報があるか否かを判定する（ステップＳ１１２）。光ディスク６に記録された予約情報があると判定した場合（ステップＳ１１２：ＹＥＳ）、録画／再生制御部２４は、対応領域に空き容量があるか否かを判定する（ステップＳ１１３）。
【００７１】
対応領域に空き容量が無いと判定した場合（ステップＳ１１３：ＮＯ）、録画／再生制御部２４は、未記録のコンテンツデータの同期を完了した後、記憶部１２に記憶されたコンテンツデータを削除すべき旨を、映像表示装置４に表示させる（ステップＳ１１４）。次いで、録画／再生制御部２４は、対応領域は、リモコン受信部３３が受信した信号に基づいて、対応領域のデータを削除するか否かを判定する（ステップＳ１１５）。
【００７２】
ステップＳ１１２で光ディスク６に予約情報が記録されていないと判定した場合（ステップＳ１１２：ＮＯ）、ステップＳ１１３で対応領域に空き容量があると判定した場合（ステップＳ１１３：ＹＥＳ）、又はステップＳ１１５で対応領域のデータを削除しないと判定した場合（ステップＳ１１５：ＮＯ）、録画／再生制御部２４は、記憶部１２から光ディスク６へ未記録のコンテンツデータをコピーする（ステップＳ１１７）。ステップＳ１１７では、録画／再生制御部２４は、ドライブ制御部１３に、記憶部１２から未記録のコンテンツデータを読み出させ、読み出したコンテンツデータを光ディスクドライブ１１で光ディスク６に記録させる。
【００７３】
ステップＳ１１５で対応領域のコンテンツデータを削除すると判定した場合（ステップＳ１１５：ＹＥＳ）、録画／再生制御部２４は、記憶部１２から光ディスク６へ未記録のコンテンツデータを転送する（ステップＳ１１６）。つまり、記憶部１２から光ディスク６へ未記録のコンテンツデータをコピーした後、記憶部１２が記憶していた該コンテンツデータを削除する。
【００７４】
ステップＳ１１６又はステップＳ１１７の処理を終えた場合、録画／再生制御部２４は、次に、コンテンツデータを光ディスク６が記録した状態を反映させるように、保存用メモリ２７に記憶したタイトル情報を更新し（ステップＳ１１８）、記憶部１２の管理領域で記憶するマップ情報を更新する（ステップＳ１１９）。ステップＳ１１９では、例えば、光ディスク６１がコンテンツデータを記録した状態を反映するように、記憶部１２の第１領域管理部で記憶したマップ情報を更新する。
【００７５】
録画／再生制御部２４は、次に、光ディスク６に記録したコンテンツデータに係る予約情報、即ち、そのコンテンツデータが表す番組を録画するために生成した予約情報が光ディスク６に記録されているか否かを判定する（ステップＳ１２０）。光ディスク６に記録したコンテンツデータに係る予約情報が光ディスク６に記録されている場合（ステップＳ１２０：ＹＥＳ）、録画／再生制御部２４は、ドライブ制御部１３に、光ディスクドライブ１１で光ディスク６から該当する予約情報を消去させる（ステップＳ１２１）。
【００７６】
ステップＳ１２１で光ディスク６に未記録のコンテンツデータが記憶されていない場合（ステップＳ１１１：ＮＯ）、ステップＳ１２０で光ディスク６に記録したコンテンツデータに係る予約情報が光ディスク６に記録されていない場合（ステップＳ１２０：ＮＯ）、又はステップＳ１２１が終了した後は、録画／再生制御部２４は、保存用メモリ２７で未記憶の予約情報が光ディスク６に記録されているか否かを判定する（ステップＳ１２２）。保存用メモリ２７で未記憶の予約情報が光ディスク６に記録されている場合（ステップＳ１２２：ＹＥＳ）、録画／再生制御部２４は、未記憶の予約情報を光ディスク６から保存用メモリ２７へコピーする（ステップＳ１２３）。ステップＳ１２３では、録画／再生制御部２４は、ドライブ制御部１３に、光ディスクドライブ１１で光ディスク６から未記憶の予約情報を読み出させ、インタフェース部１４を介してバックエンド部２０へ予約情報を入力させ、入力された予約情報を保存用メモリ２７に記憶する。ステップＳ１２１及びステップＳ１２３の処理により、光ディスク６に記録される予約情報と保存用メモリ２７に記憶される予約情報とが一致することになる。
【００７７】
ステップＳ１２２で未記憶の予約情報が光ディスク６に記録されていない場合（ステップＳ１２２：ＮＯ）、又はステップＳ１２３の処理を終了した場合、録画／再生制御部２４は、光ディスク６の空き容量が所定容量未満であるか否かを判定する（ステップＳ１２４）。光ディスク６の空き容量が所定容量未満であると判定した場合（ステップＳ１２４：ＹＥＳ）、録画／再生制御部２４は、新しい光ディスク６に交換すべき旨の映像を、映像表示装置４に表示させる（ステップＳ１２５）。
【００７８】
ステップＳ１２５の処理を終えた場合、又はステップＳ１２４で光ディスク６の空き容量が所定量以上であるあると判定した場合（ステップＳ１２４：ＮＯ）、録画／再生制御部２４は、管理領域が記憶する情報に基づいて、未同期の他の光ディスク６があるか否かを判定する（ステップＳ１２６）。未同期の光ディスク６がないと判定した場合（ステップＳ１２６：ＮＯ）、制御部は処理を終える。未同期の光ディスク６があると判定した場合（ステップＳ１２６：ＹＥＳ）、録画／再生制御部２４は、他の光ディスク６を同期すべき旨を示した映像を、映像表示装置４に表示させ（ステップＳ１２７）、処理を終える。
【００７９】
図１８は、光ディスク６の記録内容を記憶部１２の記憶内容に同期させた結果を示す概念図である。図１８は、図１３に示す状態で、コンテンツデータを記録していない光ディスク６１が光ディスクドライブ１１に装着された場合の同期結果を示す。図１８（ａ）に示すように、光ディスク６１には、第１領域に記憶されているコンテンツデータと同一のコンテンツデータが記録される。仮想ディスクのデータ分布は、光ディスク６でのデータ分布を反映したデータ分布となっている。また図１８（ｂ）に示すように、マップ情報では、番組１のコンテンツデータが仮想ディスク及び第１領域の両方に記憶され、番組１のコンテンツデータに関して光ディスク６１の記録内容と第１領域の記憶内容とが同期していることが記録されている。また図１８（ｂ）に示すように、マップ情報では、同じ番組を表すコンテンツデータの、仮想ディスク上での所在即ち光ディスク６上での所在と記憶部１２での所在とが関連付けられてある。従って、マップ情報を参照することによって、光ディスク６及び記憶部１２の両方で、同じ番組を表すコンテンツデータにアクセスすることができる。また図１８（ｃ）に示すように、タイトル情報でも、番組１のコンテンツデータに関して光ディスク６１と第１領域とで同期していることが記録されている。
【００８０】
また、図１４及び図１５に示すように、第１領域に記憶すべき、コンテンツデータを、一時的に予備領域又は第ｎ領域に記憶させている場合、予備領域又は第ｎ領域が記憶するコンテンツデータを、光ディスク６及び第１領域に転送し、予備領域及び第ｎ領域から該コンテンツデータを削除する。このようにコンテンツデータを転送させることによって、コンテンツの記憶状態は図１８に示した状態になる。また、コンテンツデータの転送を終えた場合、予備領域及び第ｎ領域に対応する仮記憶情報は削除され、マップ情報も更新される。
【００８１】
図１９は、光ディスク６の記録内容を記憶部１２の記憶内容に同期させ、記憶部１２からコンテンツデータを削除した結果を示す概念図である。図１９は、図１４及び図１５に示す状態で、コンテンツデータを記録していない光ディスク６１が光ディスクドライブ１１に装着された場合の同期及び転送の結果を示す。図１９（ａ）に示すように、光ディスク６１には、第１領域に記憶されている番組ｘのコンテンツデータと、予備領域又は第ｎ領域に記憶されている番組１のコンテンツデータとが光ディスク６に転送されている。仮想ディスクのデータ分布は、光ディスク６でのデータ分布を反映したデータ分布となっている。また図１９（ｂ）に示すように、マップ情報では、第１領域が空になった状態を反映し、空の状態になっている。
【００８２】
＜再生処理＞
録画装置１は、同期処理を終了した後、光ディスク６に記録されているコンテンツデータに基づいて番組を再生することができる。
図２０は、録画装置１が行う番組再生の処理の手順を示すフローチャートである。使用者がリモコン５に対して所定の操作を行うことにより、リモコン受信部３３は番組再生処理の開始指示を受け付け、録画／再生制御部２４は、光ディスク６に記録されているコンテンツデータが表す番組の中から再生すべき番組を選択するための番組選択画面を映像表示装置４に表示させる（ステップＳ１３１）。ステップＳ１３１では、録画／再生制御部２４は、保存用メモリ２７で記憶しているタイトル情報から、光ディスクドライブ１１に装着された光ディスク６に記録されているコンテンツデータが表す番組のタイトルを抽出し、抽出したタイトル含む番組選択画面を表示するために必要な映像信号を信号出力部３４から映像表示装置４へ出力させる。映像表示装置４は、録画装置１からの映像信号に基づいて番組選択画面を表示する。番組選択画面では、光ディスク６に記録されているコンテンツデータが表す番組、即ち再生可能な番組の一覧が表示される。なお、録画／再生制御部２４は、図１６のフローチャートで示した同期処理が終了した後、直ぐにステップＳ１３１の処理を実行してもよい。
【００８３】
番組選択画面を確認した使用者がリモコン５を操作し、リモコン５からの信号をリモコン受信部３３で受信することにより、録画／再生制御部２４は、使用者から、再生すべき番組の選択を受け付ける。ステップＳ１３１の後、録画／再生制御部２４は、再生すべき番組の選択を受け付けることによる、番組再生の指示の受付を待ち受ける（ステップＳ１３２）。番組再生の指示の受付がない場合（ステップＳ１３２：ＮＯ）、録画／再生制御部２４は、番組再生の指示の受付の待ち受けを続行する。番組再生の指示を受け付けた場合（ステップＳ１３２：ＹＥＳ）、録画／再生制御部２４は、記憶部１２の光ディスク６に対応付けられた記憶領域に、再生すべき番組を表すコンテンツデータが記憶されているか否かを判定する（ステップＳ１３３）。例えば、光ディクス６１に記録されたコンテンツデータが表す番組１を再生すべき場合に、第１領域に番組１のコンテンツデータが記憶されているか否かを判定する。ステップＳ１３１では、録画／再生制御部２４は、タイトル情報を参照し、再生すべき番組のタイトル名に関連付けられた同期状態の情報が同期を示している場合に記憶部１２にコンテンツデータが記憶されていると判定し、同期を示していない場合にコンテンツデータが記憶されていないと判定すればよい。なお、録画／再生制御部２４は、記憶部１２の管理領域に記憶されたマップ情報を参照することによって、記憶部１２にコンテンツデータが記憶されているか否かを判定する処理を行ってもよい。
【００８４】
記憶部１２の光ディスク６に対応付けられた記憶領域に、再生すべき番組を表すコンテンツデータが記憶されている場合（ステップＳ１３３：ＹＥＳ）、録画／再生制御部２４は、記憶部１２に記憶されているコンテンツデータに基づいて番組を再生する処理を行う（ステップＳ１３４）。ステップＳ１３４では、録画／再生制御部２４は、記憶部１２の管理領域に記憶されたマップ情報を参照することにより、コンテンツデータが記憶されているアドレスを特定し、ドライブ制御部１３に、再生すべき番組を表すコンテンツデータを記憶部１２から読み出させ、インタフェース部１４を介してバックエンド部２０へコンテンツデータを入力させる。更に録画／再生制御部２４は、デコーダ２８に、入力されたコンテンツデータを映像信号及び音声信号へデコードさせ、画像処理部２９に画像処理を行わせ、信号出力部３４から映像表示装置４へ映像信号及び音声信号を出力させる。映像表示装置４は、録画装置１からの映像信号及び音声信号に基づいて映像の表示及び音声の出力を行うことにより、番組を再生する。
【００８５】
記憶部１２の光ディスク６に対応付けられた記憶領域に、再生すべき番組を表すコンテンツデータが記憶されていない場合（ステップＳ１３３：ＮＯ）、録画／再生制御部２４は、光ディスクドライブ１１に装着されている光ディスク６に記録されたコンテンツデータに基づいて番組を再生する処理を行う（ステップＳ１３５）。ステップＳ１３５では、録画／再生制御部２４は、ドライブ制御部１３に、再生すべき番組を表すコンテンツデータを光ディスクドライブ１１で光ディスク６から読み出させ、インタフェース部１４を介してバックエンド部２０へコンテンツデータを入力させる。更に録画／再生制御部２４は、デコーダ２８にコンテンツデータをデコードさせ、画像処理部２９に画像処理を行わせ、信号出力部３４から映像信号及び音声信号を出力させる。映像表示装置４は、録画装置１からの映像信号及び音声信号に基づいて番組を再生する。
【００８６】
以上詳述した如く、本発明の放送記録装置である録画装置１は、光ディスクドライブ１１とは別に、複数の記憶領域を有する記憶部１２を設けてあり、特定の記憶領域に関連付けて光ディスク６のメディアＩＤを記憶することにより、特定の記憶領域に対応付けて特定の光ディスク６を登録してある。録画装置１は、録画のための予約情報を光ディスク６に関連付けて記憶し、録画すべき番組の放送時に予約情報が関連付けられた光ディスク６が装着されている場合光ディスク６にコンテンツデータを記録し、予約情報が関連付けられた光ディスク６が装着されていない場合、当該光ディスク６に対応する記憶領域にコンテンツデータを記憶させる。また録画装置１は、光ディスク６に記録するコンテンツデータと光ディスク６に対応する記憶領域に記憶するコンテンツデータとを示す情報をまとめて管理しており、光ディスク６が装着された場合に、当該光ディスク６を対応付けられた記憶領域に記憶されたコンテンツデータを光ディスク６に記録させ、また、番組の再生時には、記憶領域に記憶されているコンテンツデータに基づいて番組を再生する。このように、録画装置１は、記憶部１２の各記憶領域を、光ディスク６に対するコンテンツデータの読み出し及び書き込みを補助するキャッシュ領域として利用する。
【００８７】
記憶部１２を利用することにより、録画装置１は、光ディスク６に記録すべきコンテンツデータを一旦記憶部１２に記憶してから光ディスク６に記録することができる。これにより、録画装置１では、一旦光ディスク６を登録し、光ディスク６に関連付けて予約情報を記憶しておけば、番組の放送開始時に光ディスク６が装着されておらずとも、コンテンツデータは記憶部１２に記憶され、後日光ディスク６が装着されたときにコンテンツデータが光ディスク６に記録される。従って、番組の放送開始時になっても使用者が録画装置１に光ディスク６を装着し忘れていた場合であっても、確実に番組を録画することができる。またコンテンツデータを記録させるべき特定の光ディスク６とは別の光ディスク６を使用者が誤って録画装置１に装着した場合であっても、誤って装着された光ディスク６にコンテンツデータが記録されることがなく、後日正しい光ディスク６にコンテンツデータが記録される。このように、本発明においては、大容量のハードディスク及び複数のチューナを必要とせずに、低コストで確実なコンテンツデータの記録を可能にする。
【００８８】
また記憶部１２にコンテンツデータを記憶させることにより、録画装置１は、記憶部１２に記憶してあるコンテンツデータに基づいて番組を再生することができる。不揮発性メモリ又はハードディスクで構成された記憶部１２は、光ディスク６よりもデータの読み出しが早いので、光ディスク６に記録されたコンテンツデータに基づいて番組を再生する場合に比べて、スムーズな番組の再生が可能であり、使用者に与えるストレスを抑制することができる。特に、番組の放送時に光ディスク６へのコンテンツデータの記録と共に記憶部１２へもコンテンツデータを記憶する録画装置１の場合、再生しようとする番組のコンテンツデータが記憶部１２に記憶されている可能性が高く、番組のスムーズな再生を高頻度で行うことが可能となる。
【００８９】
また、本実施の形態では、録画装置１は、フォーマットされていない光ディスク６が装着された場合に、光ディスク６をフォーマットした上で、光ディスク６を登録する処理を行う。これにより、未フォーマットの光ディスク６を録画装置１に装着しただけで、光ディスク６が登録され、使用者は面倒な作業なしに登録済みの光ディスク６を作成して使用することができる。また本発明においては、録画装置１は、記憶部１２の記憶領域に関連付けて記憶してある光ディスク６のメディアＩＤを消去することにより、光ディスク６を登録してある状態を解除することができる。これにより、記憶部１２の記憶領域の内で光ディスク６が対応付けられていない記憶領域が不足した場合に、記憶領域に光ディスク６が対応付けられた状態を解消し、この記憶領域に新たな光ディスク６を対応付けることができる。例えば、コンテンツデータを記録した光ディスク６を再生専用として利用する場合、再生専用の光ディスク６の登録を解除して、他の光ディスク６を記録用に登録することが可能となる。
【００９０】
更に、本実施の形態では、録画装置１は、光ディスク６に予約情報を記録し、光ディスク６が装着されたときには、内部で記憶している予約情報と光ディスク６に記録されている予約情報とを同期させる。これにより、他の録画装置１で光ディスク６に予約情報が記録された場合であっても、録画装置１で予約情報を管理し、確実にコンテンツデータを記録することが可能となる。
【００９１】
更にまた、本実施の形態にあっては、録画予約されるべき光ディスク６が装着されておらず、かつ対応領域に、録画予約された番組のコンテンツデータを記憶するための空き容量が無い場合に、光ディスク６を装着すべき旨を警告するように構成してあるため、使用者が所望する光ディスク６に所望の番組のコンテンツデータを確実に録画することができ、しかも、対応する光ディスク６が装着されていない旨の警告の発生を抑えることができる。
【００９２】
更にまた、本実施の形態にあっては、番組の放送時刻の所定時間前になった場合、記録媒体の着脱が行われた場合、動作状態から停止状態へ遷移した場合、主電源がオフ状態になった場合に、警告を発するように構成されている。従って、警告が頻発することを防止すると共に、コンテンツデータが記録されるべき光ディスク６の装着を適切に促すことができ、コンテンツデータの録画を確実に行うことが可能になる。
【００９３】
更にまた、本実施の形態にあっては、光ディスク６が装着されておらず、該光ディスク６に対応する記憶領域に十分な空き容量がない場合であっても、予備領域に番組のコンテンツデータを仮録画し、後に光ディスク６及び対応領域に転送するように構成されているため、録画予約された番組のコンテンツデータをより確実に記憶することができ、利便性を向上させることができる。
【００９４】
更にまた、本実施の形態にあっては、光ディスク６が装着されておらず、該光ディスク６に対応する記憶領域はもちろん、予備領域にも十分な空き容量がない場合であっても、他の記憶領域に番組のコンテンツデータを仮録画し、後に光ディスク６及び対応領域に転送するように構成されているため、録画予約された番組のコンテンツデータをより確実に記憶することができ、利便理性を向上させることができる。
【００９５】
更にまた、本実施の形態では、対応領域の空き容量が十分でない場合、対応領域のコンテンツデータの同期及び転送を促すことによって、空き容量を増加させるように構成されているため、光ディスク６を装着すべき旨の警告の頻発をより効果的に抑えることができる。
【００９６】
なお、本実施の形態においては、光ディスク６に固有の媒体情報として光ディスク６に予め記録されているメディアＩＤを使用する形態を示したが、これに限るものではなく、本発明では、光ディスク６毎に異なる情報を光ディスク６に書き込み、書き込んだ情報をメディアＩＤとして利用してもよい。また本実施の形態においては、デジタルチューナ２１で放送信号を受信する形態を示したが、本発明はアナログ放送の放送信号を受信するアナログチューナを備えた形態であってもよい。アナログチューナを備えた形態では、アナログチューナはエンコーダ２２に接続される。
【００９７】
また本実施の形態においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。また本実施の形態においては、本発明の放送記録装置は録画装置であるとしたが、これに限るものではなく、本発明の記録装置は、映像表示装置と録画装置とが一体となった形態であってもよい。また本実施の形態においては、本発明の放送記録装置としてテレビジョン放送により放送された番組のコンテンツデータを記録する形態を示したが、これに限るものではなく、本発明の放送記録装置は、音声放送又はデータ放送等、テレビジョン放送以外の放送で放送される番組のコンテンツデータを記録する形態であってもよい。
【符号の説明】
【００９８】
１  録画装置（放送記録装置）
１０  ハイブリッドドライブ部
１１  光ディスクドライブ
１２  記憶部
１３  ドライブ制御部
２０  バックエンド装置
２１  デジタルチューナ
２３  ストリーム処理部
２４  録画／再生処理部
２７  保存用メモリ
２８  デコーダ
２９  画像処理部
３３  リモコン受信部
３４  信号出力部
４  映像表示装置
５  リモコン（リモートコントローラ）
６１  光ディスク（記録媒体）
【図１】
0005404330.tif 000002
【図２】
0005404330.tif 000003
【図３】
0005404330.tif 000004
【図４】
0005404330.tif 000005
【図５】
0005404330.tif 000006
【図６】
0005404330.tif 000007
【図７】
0005404330.tif 000008
【図８】
0005404330.tif 000009
【図９】
0005404330.tif 000010
【図１０】
0005404330.tif 000011
【図１１】
0005404330.tif 000012
【図１２】
0005404330.tif 000013
【図１３】
0005404330.tif 000014
【図１４】
0005404330.tif 000015
【図１５】
0005404330.tif 000016
【図１６】
0005404330.tif 000017
【図１７】
0005404330.tif 000018
【図１８】
0005404330.tif 000019
【図１９】
0005404330.tif 000020
【図２０】
0005404330.tif 000021